(57)【要約】  情報処理方法、通信装置および記憶媒体を提供する。第１通信デバイスに適用される情報処理方法は以下を有する：Ｍタイプの送信パラメータを結合して符号化するＸセットのパラメータ値を送信するステップであって、Ｍタイプの送信パラメータはビーム通知および／または準コロケーション通知パラメータを含み、ビーム通知はビームを通知するために使用され、準コロケーション通知パラメータはビームのパラメータを通知するために使用され、Ｍ＞１である、ステップ；Ｘセットのパラメータ値からＹセットのパラメータ値を選択するステップであって、X＞＝Ｙ＞＝１である、ステップ；Ｙセットのパラメータ値に基づいて選択通知を送信するステップであって、選択通知はデータ送信においてＸセットのパラメータ値からＹセットのパラメータ値を選択するために使用される、ステップ。【選択図】図１
2021503832.tif 000002
【特許請求の範囲】
【請求項１】
第１通信装置に対して適用される情報処理方法であって、
Ｍタイプの送信パラメータを一緒に符号化するＸセットのパラメータ値を送信するステップであって、前記Ｍタイプの送信パラメータはビーム通知および／または準同位置（ＱＣＬ）通知パラメータを含み、前記ビーム通知はビームを通知するために使用され、前記ＱＣＬ通知パラメータは前記ビームのパラメータを通知するために使用され、Ｍ＞１である、ステップ；
前記Ｘセットのパラメータ値からＹセットのパラメータ値を選択するステップであって、X＞＝Ｙ＞＝１である、ステップ、
前記Ｙセットのパラメータ値に基づいて選択通知を送信するステップであって、前記選択通知は、データ送信において、前記Ｘセットのパラメータ値から前記Ｙセットのパラメータ値を選択するために使用される、ステップ、
を有する方法。
【請求項２】
前記方法はさらに、前記Ｍタイプの送信パラメータに対応する前記Ｘセットのパラメータ値を決定するステップを有する、
請求項１記載の方法。
【請求項３】
前記Ｍタイプの送信パラメータは、
ＭＩＭＯ伝送に関連する情報を通知するために使用される多入力多出力（ＭＩＭＯ）伝送パラメータ；
ＲＳ伝送に関連する情報を通知するために使用される基準信号（ＲＳ）パラメータ；
のうちの１つ以上の種類をさらに含む、
請求項１または２に記載の方法。
【請求項４】
前記ＭＩＭＯ送信パラメータは、
ＭＩＭＯ送信データストリームの最大数を示すために使用される最大レイヤ番号；
コードブックの設定に使用されるコードブックパラメータ；
コードブックから選択されたコードワードを定義するために使用されるコードブックサブセット；
アップリンクリソースブロックのサイズを定義するために使用されるアップリンクリソースブロックサイズ；
同じプレコーディングモードを使用してリソース粒度を定義するために使用されるプレコーディングリソースバンドル粒度；
のうちの１つまたは複数のタイプを含む、
請求項３記載の方法。
【請求項５】
前記ＲＳパラメータは、
ＤＭＲＳの送信に関する情報を示すために使用される復調基準信号（ＤＭＲＳ）構成パラメータ；
位相トラッキング基準信号（ＰＴＲＳ）を送信するかどうかを示すために少なくとも使用されるＰＴＲＳ送信通知；
トラッキング基準信号（ＴＲＳ）の送信に関する情報を示すために使用されるＴＲＳ構成パラメータ；
のうちの１つまたは複数のタイプを含む、
請求項３記載の方法。
【請求項６】
前記送信パラメータは、
データ再送に関する情報を通知するために使用される再送パラメータ；
リソース割り当て状況情報を通知するために使用されるリソース割り当てパラメータ；
ＢＷＰに関する情報を通知ために使用される帯域幅部分パラメータ；
変調および符号化方式を示すために使用される変調および符号化方式パラメータ；
のうちの１つまたは複数のタイプをさらに含む、
請求項３記載の方法。
【請求項７】
前記Ｍタイプの送信パラメータに対応する前記Ｘセットのパラメータ値を決定するステップは、
パイロットリソース位置に対応する前記Ｘセットのパラメータ値を決定するステップ、
を有する、
請求項２記載の方法。
【請求項８】
前記Ｙセットのパラメータ値に基づいて前記選択通知を送信するステップは、
肯定応答メッセージを受信した後、前記Ｙセットのパラメータ値にしたがってデータ送信を実行するステップ、
を有する、
請求項１または２記載の方法。
【請求項９】
第２通信装置に対して適用される情報処理方法であって、
Ｍタイプの送信パラメータを一緒に符号化するＸセットのパラメータ値を受信するステップであって、前記Ｍタイプの送信パラメータはビーム通知および／または準同位置（ＱＣＬ）通知パラメータを含み、前記ビーム通知はビームを通知するために使用され、前記ＱＣＬ通知パラメータは前記ビームのパラメータを通知するために使用され、Ｍ＞１である、ステップ；
選択通知を受信するステップ；
前記選択通知にしたがって、データ送信において前記Ｘセットのパラメータ値からＹセットのパラメータ値を選択するステップであって、X＞＝Ｙ＞＝１である、ステップ；
を有する方法。
【請求項１０】
前記方法はさらに、
パイロット信号のリソース位置を送信するステップであって、前記Xセットのパラメータ値は、リソース位置に対応するパラメータ値セットである、ステップ、
を有する、
請求項９記載の方法。
【請求項１１】
前記方法はさらに、前記選択通知を受信した後、確認メッセージを送信するステップを有する、
請求項９または１０記載の方法。
【請求項１２】
前記Ｍタイプの送信パラメータは、
多入力多出力（ＭＩＭＯ）伝送パラメータ；
基準信号（ＲＳ）パラメータ；
のうちの１つ以上の種類を含む、
請求項９または１０記載の方法。
【請求項１３】
第１通信装置である通信装置であって、
Ｍタイプの送信パラメータを一緒に符号化するＸセットのパラメータ値を送信するように構成された第１送信ユニットであって、前記Ｍタイプの送信パラメータはビーム通知および／または準共位置（ＱＣＬ）通知パラメータを含み、前記ビーム通知はビームを通知するために使用され、前記ＱＣＬ通知パラメータは前記ビームのパラメータを通知するために使用され、Ｍ＞１である、第１選択ユニット；
前記Ｘセットのパラメータ値からＹセットのパラメータ値を選択するように構成された第１選択ユニットであって、X＞＝Ｙ＞＝１である、第１選択ユニット；
を備え、
前記第１送信ユニットはさらに、前記Ｙセットのパラメータ値に基づいて選択通知を第２通信デバイスに対して送信するようにさらに構成されており、前記選択通知はデータ送信において前記Ｘセットのパラメータ値から前記Ｙセットのパラメータ値を選択するために使用される、
通信装置。
【請求項１４】
前記通信装置はさらに、
前記Ｍタイプの送信パラメータに対応する前記Ｘセットのパラメータ値を決定するように構成された決定ユニットを備える、
請求項１３記載の通信装置。
【請求項１５】
前記Ｍタイプの送信パラメータはさらに、
ＭＩＭＯ伝送に関連する情報を通知するために使用される多入力多出力（ＭＩＭＯ）伝送パラメータ；
ＲＳ伝送に関連する情報を通知するために使用される基準信号（ＲＳ）パラメータ；
のうちの１つまたは複数のタイプを含む、
請求項１３または１４記載の通信装置。
【請求項１６】
前記ＭＩＭＯ送信パラメータは、
ＭＩＭＯ送信データストリームの最大数を通知するために使用される最大レイヤ番号；
コードブックの設定に使用されるコードブック（ＣＢ）パラメータ；
コードブックから選択されたコードワードを定義するために使用されるコードブックサブセット（ＣＳＲ）；
アップリンクリソースブロックのサイズを定義するために使用されるアップリンクサブバンドサイズ；
同じプリコーディングモードを使用してリソースの粒度を定義するために使用されるプリコーディングリソースバンドル粒度；
のうちの１つまたは複数のタイプを含む、
請求項１５記載の通信装置。
【請求項１７】
前記ＲＳパラメータは、
ＤＭＲＳの送信に関する情報を通知するために使用される復調基準信号（ＤＭＲＳ）構成パラメータ；
位相トラッキング基準信号（ＰＴＲＳ）を送信するかどうかを通知するために少なくとも使用されるＰＴＲＳ送信通知；
トラッキング基準信号（ＴＲＳ）の送信に関する情報を通知するために使用されるＴＲＳ構成パラメータ；
のうちの１つまたは複数のタイプを含む、
請求項１５記載の通信装置。
【請求項１８】
前記Ｍタイプの送信パラメータは、
データ再送に関する情報を通知するために使用される再送パラメータ；
リソース割り当て状況情報を通知するために使用されるリソース割り当て（ＲＡ）パラメータ；
ＢＷＰに関する情報を通知するために使用される帯域幅部分（ＢＷＰ）パラメータ；
変調および符号化方式を示すために使用される変調および符号化方式（ＭＳＣ）パラメータ；
のうちの１つまたは複数のタイプをさらに含む、
請求項１６記載の通信装置。
【請求項１９】
前記決定ユニットは、パイロットリソース位置に対応する前記Ｘセットのパラメータ値を決定するように構成されている、
請求項１５記載の通信装置。
【請求項２０】
前記装置はさらに、
肯定応答メッセージを受信した後、前記Ｙセットのパラメータ値にしたがってデータ送信を実行するように構成された第１送信ユニット、
を備える、
請求項１３から１９のいずれか１項記載の通信装置。
【請求項２１】
第２通信装置である通信装置であって、
Ｍタイプの送信パラメータを一緒に符号化するＸセットのパラメータ値と、前記第２通信デバイスによって送信された選択通知とを受信するように構成された第２受信ユニットであって、前記Ｍタイプの送信パラメータはビーム通知および／または準同位置（ＱＣＬ）通知パラメータを含み、前記ビーム通知はビームを通知するために使用され、前記ＱＣＬ通知パラメータは前記ビームのパラメータを通知するために使用され、Ｍ＞１である、第２受信ユニット；
前記選択通知にしたがって、データ送信において、前記Ｘセットのパラメータ値からＹセットのパラメータ値を選択するように構成された第２選択ユニットであって、X＞＝Ｙ＞＝１である、第２選択ユニット、
を備える通信装置。
【請求項２２】
前記通信装置はさらに、
パイロット信号のリソース位置を送信するように構成された第２送信ユニットであって、前記Ｘセットのパラメータ値は前記リソース位置に対応するパラメータ値セットである、第２送信ユニット、
を備える、
請求項２１記載の通信装置。
【請求項２３】
前記通信装置はさらに、
選択通知を受信した後に肯定応答メッセージを送信するように構成された第２送信ユニット  を備える、
請求項２１または２２記載の通信装置。
【請求項２４】
前記Ｍタイプの送信パラメータは、
多入力多出力（ＭＩＭＯ）伝送パラメータ；
基準信号（ＲＳ）パラメータ；
のうちの１つまたは複数のタイプを含む、
請求項２１または２２記載の通信装置。
【請求項２５】
通信装置であって、
無線信号を送受信するように構成されたアンテナ；
情報を記憶するように構成されたメモリ；
前記アンテナおよび前記メモリにそれぞれ接続され、前記メモリに記憶されたコンピュータ命令を実行することによって、請求項１〜８のいずれか１項記載の情報処理方法を実現するか、または請求項９〜１２のいずれか１項記載の情報処理方法を実現するように構成されている、プロセッサ、
を備える通信装置。
【請求項２６】
実行することにより、請求項１〜８のいずれか１項記載の情報処理方法を実現するためのコンピュータプログラム、または、請求項９〜１２のいずれか１項記載の情報処理方法を実現するためのコンピュータプログラムを記憶するように構成されたコンピュータ記憶媒体。
【発明の詳細な説明】
【技術分野】
【０００１】
本開示は通信の分野に関し、特に、情報処理方法、通信装置、および記憶媒体に関する。
【背景技術】
【０００２】
伝送パラメータは、２者間の通信のためのパラメータとして使用することができる。例えば、送信パラメータは、２つのパーティによって使用される通信リソースのリソースパラメータ、２つのパーティによって使用される変調および符号化スキームの通知、基準信号を受信するかまたは送信するかの通知、再送信を制御するための再送信パラメータ、などを含む。
【０００３】
一般に、送信パラメータは、物理層シグナリングまたは上位層シグナリングによって送信される。例えば、上位レイヤシグナリングは、無線リソース制御（ＲＲＣ）シグナリングおよび／またはメディアアクセス制御（ＭＡＣ）シグナリングを含むことができる。
【０００４】
従来技術では、２者が対話型送信パラメータに基づいて互いに通信するとき、通信品質が所望の効果を達成することができない場合があることがわかっている。
【発明の概要】
【発明が解決しようとする課題】
【０００５】
そこで、本開示の目的は、上記の通信品質不良の問題を少なくとも部分的に解決する情報処理方法、通信装置、および記憶媒体を提供することにある。
【課題を解決するための手段】
【０００６】
上記の目的を達成するために、本開示の実施形態の技術的解決策は、以下のように実施される。
【０００７】
第１側面において、本開示の１実施形態は、第１通信装置に対して適用される情報処理方法を提供する。前記方法は以下を有する：Ｍタイプの送信パラメータを一緒に符号化するＸセットのパラメータ値を送信するステップであって、前記Ｍタイプの送信パラメータはビーム通知および／または準同位置通知パラメータを含み、前記ビーム通知はビームを通知するために使用され、前記準同位置通知パラメータは前記ビームのパラメータを通知するために使用され、Ｍ＞１である、ステップ；前記Ｘセットのパラメータ値からＹセットのパラメータ値を選択するステップであって、X＞＝Ｙ＞＝１である、ステップ；前記Ｙセットのパラメータ値に基づいて選択通知を送信するステップであって、前記選択通知はデータ送信において前記Ｘセットのパラメータ値から前記Ｙセットのパラメータ値を選択するために使用される、ステップ。
【０００８】
第２側面において、本開示の１実施形態は、第２通信装置に対して適用される情報処理方法を提供する。前記方法は以下を含む：Ｍタイプの送信パラメータを一緒に符号化するＸセットのパラメータ値を受信するステップであって、前記Ｍタイプの送信パラメータはビーム通知および／または準同位置通知パラメータを含み、前記ビーム通知はビームを通知するために使用され、前記準同位置通知パラメータは前記ビームのパラメータを示すために使用され、Ｍ＞１である、ステップ；選択通知を受信するステップ；前記選択通知にしたがって、データ送信において、前記Ｘセットのパラメータ値からＹセットのパラメータ値を選択するステップであって、X＞＝Ｙ＞＝１である、ステップ。
【０００９】
第３側面において、本開示の１実施形態は、第１通信デバイスである通信デバイスを提供する。前記通信デバイスは以下を備える：Ｍタイプの送信パラメータを一緒に符号化するＸセットのパラメータ値を送信するように構成され、前記Ｍタイプの送信パラメータはビーム通知および／または準同位置通知パラメータを含み、前記ビーム通知はビームを通知するために使用され、前記ＱＣＬ通知パラメータはビームのパラメータを通知するために使用され、Ｍ＞１である、第１送信ユニット；前記Ｘセットのパラメータ値からＹセットのパラメータ値を選択するように構成され、X＞＝Ｙ＞＝１である、第１選択ユニット；前記第１送信ユニットはさらに、第２通信デバイスに対して前記Ｙセットのパラメータ値基づいて選択通知を送信するように構成され、前記選択通知は、データ送信において、前記第２通信デバイスによって、前記Ｘセットのパラメータ値から前記Ｙセットのパラメータ値を選択するために使用される。
【００１０】
第３側面において、本開示の１実施形態は、第２通信デバイスである通信デバイスを提供する。前記通信デバイスは以下を備える：第１通信デバイスによって送信された、Ｍタイプの送信パラメータを結合して符号化するＸセットのパラメータ値と、選択通知とを受信するように構成され、前記Ｍタイプの送信パラメータは、ビームを通知するために使用されるビーム通知および／または準同位置通知パラメータを含み、前記準同位置通知パラメータはビームのパラメータを通知するために使用され、Ｍ＞１である、第２受信ユニット；前記選択通知にしたがって、データ送信において前記Ｘセットのパラメータ値からＹセットのパラメータ値を選択するように構成され、X＞＝Ｙ＞＝１である、第２選択ユニット。
【００１１】
第４側面において、本開示の実施形態は通信装置を提供する。前記通信装置は以下を備える：無線信号を送受信するように構成されたアンテナ；情報を記憶するように構成されたメモリ；前記アンテナと前記メモリにそれぞれ接続され、前記メモリに記憶されたコンピュータプログラムを実行することによって、上述の技術的解決策のうちの少なくとも１つによって提供される情報処理方法を実施するように構成されたプロセッサ。
【００１２】
第５側面において、本開示の実施形態は、コンピュータ記憶媒体を提供する。前記記憶媒体は、実行することにより、上述の技術的解決策のうちの少なくとも１つによって提供される情報処理方法を実施するためのコンピュータプログラムを記憶するように構成されている。
【００１３】
本発明に係る情報処理方法、通信装置および記憶媒体は、あらかじめ第２通信装置に対してＸセットのパラメータ値を送信し、ビーム切替をする際に、前記選択通知を介して前記第２通信装置の送信パラメータの変更を通知する。このようにして、ビーム切替に基づいて送信パラメータを切り替えることができ、当事者間のデータ送信を確実にすることができる。
【図面の簡単な説明】
【００１４】
【図１】本開示の１実施形態に係る第１情報処理方法の概略フローチャートである；
【００１５】
【図２】本発明の１実施形態に係る第２情報処理方法の概略フローチャートである；
【００１６】
【図３】１つのタイプの伝送パラメータの伝送方法である；
【００１７】
【図４】ビーム切替および送信パラメータ切替の概略図である；
【００１８】
【図５】本発明の１実施形態によるビームスイッチングおよび送信パラメータスイッチングの概略図である；
【００１９】
【図６】本発明の１実施形態に係る第３情報処理方法の概略フローチャートである；
【００２０】
【図７】本発明の１実施形態による第１通信装置の概略構成図である；
【００２１】
【図８】本開示の１実施形態による第２通信デバイスの概略構造図である；
【００２２】
【図９】本発明の１実施形態に係る通信装置の概略構成図である；
【００２３】
【図１０】本開示の１実施形態によるパラメータ値セットの送信の概略図である。
【発明を実施するための形態】
【００２４】
本開示の技術的解決策は、添付の図面および実施形態を参照して、さらに詳細に説明される。
【００２５】
図１に示すように、本開示の１実施形態は、第１通信装置に対して適用される情報処理方法を提供する。この方法は以下を含む：
【００２６】
ステップＳ１１０：Ｍタイプの送信パラメータを一緒に符号化するＸセットのパラメータ値が第２通信デバイスに対して送信され、Ｍタイプの送信パラメータはビーム通知および／または準同位置（ＱＣＬ）通知パラメータを含み、ビーム通知はビームを通知するために使用され、ＱＣＬ通知パラメータはビームのパラメータを通知するために使用され、Ｍ＞１である。
【００２７】
ステップＳ１２０：Ｙセットのパラメータ値は、Ｘセットのパラメータ値から選択される。ここで、X＞＝Ｙ＞＝１ である。
【００２８】
ステップＳ１３０：選択通知はＹセットのパラメータ値に基づいて第２通信装置に対して送られる。選択通知は、第２通信装置によって、データ伝送において、Ｘセットのパラメータ値からＹセットのパラメータ値を選択するために使用される。
【００２９】
この実施形態では、第１通信装置と第２通信装置は、互いに通信することができる２つのパーティである。例えば、第１通信デバイスは基地局、中継ノード、または別の通信デバイスであってもよく、第２通信デバイスは様々なタイプの端末のうちの１つであってもよい。
【００３０】
基地局は、進化型ノードＢ（ｅＮＢ）、次世代ノードＢ（ｇＮＢ）、ホーム基地局、マクロ基地局、または小型基地局を含む。中継ノードは、中継送信のための無線ノード、例えば、端末または無線信号増幅器であってもよい。
【００３１】
端末は、スマートフォン、タブレット、およびウェアラブルデバイスなどの人間搭載端末、自動車または他の車両に搭載された車載端末、またはＩｎｔｅｒｎｅｔ  ｏｆ  Ｔｈｉｎｇｓ端末を含むことができる。典型的なＩｎｔｅｒｎｅｔ  ｏｆ  Ｔｈｉｎｇｓ端末は、スマートホームおよび／またはスマート水道メータ、スマート電気メータなどのスマート機器を含む。
【００３２】
本実施形態では、第１通信装置は、Ｍタイプの送信パラメータを一緒に符号化するＸセットのパラメータ値を第２通信装置に対して送信する。Ｍタイプの送信パラメータは、データ送信のためのビームに関するパラメータである。この実施形態では、Ｍタイプの送信パラメータを構成し、第２通信デバイスに対して一緒に送信することができる。Ｍタイプの送信パラメータは、ビームに関するパラメータである。すなわち、ビームスイッチングを実施するとき、スイッチビームに対応する伝送パラメータを、伝送品質および通信品質を確保するように変更する必要がある。
【００３３】
Ｘセットのパラメータ値は、Ｍタイプの送信パラメータを一緒に符号化するＸセットの値を含む。ステップＳ１１０において、Ｘセットのパラメータ値は、ＲＲＣシグナリングおよび／またはＭＡＣシグナリングなどの上位レイヤシグナリングを介して送信することができる。別実施形態では、Ｘセットのパラメータ値が物理層シグナリングを介して送信されてもよい。例えば、Ｘセットのパラメータ値におけるパラメータ値の一部は、ダウンリンク制御情報（略してＤＣＩ）を介して送信される。
【００３４】
ステップＳ１２０において、Ｘセットのパラメータ値からＹセットのパラメータ値が選択される。１実施形態において、この方法はさらに以下を含む：
【００３５】
第２通信デバイスと通信するためのチャネル状態情報および／または指定された基準信号の測定情報を取得するステップ。測定情報は、より良好な通信品質を得るために、第１通信装置と第２通信装置が互いに通信するためにどのビームを使用するかを反映する。例えば、第２通信デバイスは各ビームの測定情報を第１通信デバイスに対してフィードバックし、第１通信デバイスは、測定情報にしたがって第２通信デバイスと通信するためのビームのうちの１つまたは複数を選択する。例えば、第１通信装置は、現在使用されているビームまたは代替ビームとして、最良の通信品質を有するいくつかのビームを選択する。現在使用されているビームとＸセットのパラメータ値との間の対応関係にしたがって、Ｙセットのパラメータ値がＸセットのパラメータ値から選択され、Ｙセットのパラメータ値は現在使用されているビームまたは代替ビームに対応する。Ｙの値は、１、２、３または他の値であってもよい。複数の接続を有するいくつかの状態においては、Ｙの値は２以上であってもよい。
【００３６】
いくつかの実施形態では、Ｙセットのパラメータ値が選択されたと判定された場合、Ｙセットのパラメータ値は通信品質を保証するために第２通信デバイスと通信するために使用される。本開示のこの実施形態では、Ｙセットのパラメータ値が対応するビームは、データ送信を実行するために使用される。
【００３７】
例えば、通信のために２者によって使用されるビームが切り替えられる前後において、ビーム幅の変化、ビーム方向の変化、ビーム送信パネルの変化、およびビーム送信ノードの変化など、いくつかの変化が起こり得る。これらの変化は、それに応じて、より良好な通信品質を得るための最適な送信パラメータを変化させ得る。
【００３８】
ビーム幅の変化、ビーム方向の変化、ビーム送信パネルの変化およびビーム送信ノードの変化を含む、送信ビームの変化は、ビーム送信のチャネル特性を変化させることができる。例えば、ビーム伝送のチャネル特性は、マルチパス数、マルチパス方向、マルチパス時間遅延、マルチパス電力のうちの１つまたは複数を含み得る。チャネル特性の変化に起因して、以下のパラメータを変更する必要がある：物理リソースブロック（ＰＲＢ）のプリコーディングリソースバンドリング粒度、復調基準信号（ＤＭＲＳ）構成、アップリンクサブバンドサイズ（ＵＬ  ＳＢサイズ）および／またはトラッキング基準信号（ＴＲＳ）構成。
【００３９】
ビーム送信パネルおよびビーム送信ノードの変化は水晶発振器の変化を引き起こし、位相ノイズの変化を引き起こす可能性がある。このため、ＰＴＲＳ（Ｐｈａｓｅ  Ｔｒａｃｋｉｎｇ  Ｒｅｆｅｒｅｎｃｅ  Ｓｉｇｎａｌ）構成とＴＲＳ構成とを対応させて変更する必要がある。
【００４０】
ビーム幅の変化、ビーム方向の変化、ビーム送信パネルの変化およびビーム送信ノードの変化は、送信アンテナ構成およびチャネルランクの変化を引き起こす可能性があり、これは、最大送信層数の構成に影響を及ぼす可能性がある。
【００４１】
アップリンク送信の場合、ビーム幅の変化、ビーム方向の変化、およびビーム送信パネルの変化を含む送信ビームの変化は、チャネル特性の変化を引き起こす可能性があり、これは、最適なコードブックサブセットの変化を引き起こす可能性がある。
【００４２】
ビーム幅の変化、ビーム送信パネルの変化、ビーム送信ノードの変化、ビーム利得の変化、ビーム経路損失の変化およびビーム干渉変動の変化は、信号対干渉雑音比（ＳＩＮＲ）間隔の変化を引き起こす可能性があり、これは変調の分布および符号化方式（ＭＣＳ）に影響を与える可能性がある。
【００４３】
加えて、ビーム送信ノードの変化は、ハイブリッド自動再送信要求（ＨＡＲＱ）パラメータ、リソース割り当て（ＲＡ）パラメータ、帯域幅部分（ＢＷＰ）パラメータ、およびランダムアクセス応答（ＲＡＲ）パラメータの再構成要求を引き起こすこともある。
【００４４】
ＨＡＲＱパラメータでは、符号化ブロックグループ（ＣＢＧ）の数が主に影響を受け、異なるビーム送信ノードに適した符号化ブロックグループ（ＣＢＧ）の数は、異なっている。
【００４５】
ＲＡパラメータはリソース割当パラメータであり、主に、リソース割当タイプ、リソース割当の最小単位、その他のパラメータを含む。異なる送信ノードは、異なる最適ＲＡパラメータを有することができる。
【００４６】
ＢＷＰパラメータは帯域幅部分を示し、異なる送信ノードは、異なる帯域幅および異なるＢＷＰパーティションを有することができる。
【００４７】
図３は、異なる信号を使用することによって異なる送信パラメータを送信することを示す概略図である。例えば、ビーム通知またはＱＣＬ通知は、シグナリング１を使用することによって送信される。シグナリング１は例えば、ＲＲＣシグナリング、ＭＡＣシグナリング、またはＤＣＩシグナリングである。ＤＭＲＳ構成パラメータは、ＲＲＣまたはＤＣＩシグナリングを使用して送信される。アップリンクコードブック構成パラメータ等は、ＲＲＣシグナリング、ＭＡＣシグナリング、ＤＣＩシグナリング等のシグナリング３を用いて送信される。PTPＳ構成パラメータ等は、ＲＲＣシグナリングなどのシグナリング４を用いて送信される。異なるシグナリングを使用することによって異なる送信パラメータが別々に送信される場合の送信効果が図４に示されている。ビームスイッチングは、物理層シグナリングを使用することによって迅速に送信できる。しかしながら、上位レイヤシグナリングを使用して送信されるＲＳ構成パラメータおよび最大レイヤ番号構成パラメータは、２つのパーティ間のビームが長時間にわたってビーム１からビーム２に切り替えられた直後に切り替えられる。その結果、伝送パラメータのスイッチングはビームスイッチングレートより遅れ、それによって伝送効果が悪くなる。この実施形態によって提供される方法が使用される場合の送信効果が図５に示される。この実施形態ではＸセットのパラメータ値が第２通信デバイスに送信されるので、例えば、基地局は上位レイヤシグナリングを介して端末にパラメータ値セットを事前に送信することができ、送信パラメータの切り替えはビーム切り替えが発生したときに１つまたは複数のビットの選択通知を送信するだけで実施される。その結果、伝送パラメータのスイッチングはビームスイッチングの速度に追いつくことがあり、その結果、ビームと使用される伝送パラメータとの間の不整合によって通信品質が低下することはない。
【００４８】
この実施形態では、選択通知は、物理層シグナリングを介して送信される情報とすることができる。例えば、基地局は、ＤＣＩを介して選択通知を送信する。選択通知は、Ｙセットのパラメータ値のインデックスであってもよい。同時に、この実施形態では、一度に送信されるＸセットのパラメータ値を繰り返し使用することができ、その結果、送信パラメータを繰り返し送信することによって引き起こされる大きなシグナリングオーバヘッドの問題が従来技術と比較して低減される。したがって、この方法は、シグナリングオーバーヘッドが小さいという特徴を有する。
【００４９】
いくつかの実施形態では、図２に示すように、Ｘセットのパラメータ値を送信する前に、本方法はさらに以下を含む：
【００５０】
ステップＳ１００において、Ｍタイプの送信パラメータに対応するＸセットのパラメータ値を決定する。
【００５１】
例えば、Ｘセットのパラメータ値が選択され、第２通信装置によって送信された測定情報にしたがって第２通信装置に対して送信される。例えば、測定情報は、セル内の端末の地理的位置、ビーム内の基地局によって送信され地理的位置で端末によって受信される参照信号および／またはパイロット信号、などを含む。端末はこれらの信号の信号強度および／または受信電力を測定し、測定情報を第１通信デバイスに送信する。
【００５２】
Ｍタイプの伝送パラメータはさらに、次の伝送パラメータの１つ以上のタイプを含む：多入力多出力（ＭＩＭＯ）伝送パラメータおよび基準信号（ＲＳ）パラメータ。ＭＩＭＯ送信パラメータは、ＭＩＭＯ送信に関連するパラメータであってもよい。ＲＳパラメータは、様々な基準信号の送受信に関連するパラメータであってもよい。
【００５３】
例示的な実施形態では、ＭＩＭＯ送信パラメータが以下のうちの１つまたは複数のタイプの送信パラメータを含む：最大レイヤ番号、コードブックサブセット（ＣＳＲ）、コードブック（ＣＢ）パラメータ、アップリンクサブバンドサイズ、およびプリコーディングリソースバンドリング粒度（バンドリングサイズ）。
【００５４】
最大レイヤ番号はＭＩＭＯ送信データストリームの最大数を示すために使用され、例えば、２つのパーティが位置する空間において同時に送信されるデータストリームの最大数を示すために使用される。
【００５５】
ＣＢパラメータは、コードブックの設定に使用される。
【００５６】
コードブックサブセット（ＣＳＲ）はコードブック内のコードワードを定義し、コーディングのためにコードブックから選択されたコードブックサブセットを制御するために使用される。
【００５７】
アップリンクリソースブロックサイズ（ＵＬ ＳＢ Ｓｉｚｅ）は、アップリンク送信のためのリソースブロックのサイズを定義するために使用される。
【００５８】
プレコーディングリソースバンドル粒度は、同じプレコーディングモードを使用してリソース粒度を定義するために使用される。すなわち、対応する粒度リソースにおけるデータ伝送プリコーディングは同じである。
【００５９】
例示的な実施形態では、ＲＳパラメータがＤＭＲＳ構成パラメータ、ＰＴＲＳ送信通知、およびトラッキング基準信号（ＴＲＳ）構成パラメータのうちの１つまたは複数のタイプをさらに含む。
【００６０】
いくつかの実施形態では、ＤＭＲＳ構成パラメータは、ＤＭＲＳの周波数領域送信間隔および／または時間領域送信間隔を含む、ＤＭＲＳ送信に関連するパラメータであってもよい。ＤＭＲＳ構成パラメータはＤＭＲＳ送信のために使用される送信リソースをさらに含むことができ、送信リソースは、周波数領域リソース、時間領域リソース、および／またはコード領域リソースを含む。
【００６１】
ＰＴＲＳ送信通知は、少なくともＰＴＲＳを送信するか否かを通知するために使用される。例えば、Ｘセットのパラメータ値において、Ｍタイプの送信パラメータを共に符号化する場合、１ビットはＰＴＲＳ送信通知を表すことができる。１ビットの値が第１値である場合、ＰＴＲＳ送信通知はＰＴＲＳを送信することを示し、１ビットの値が第２値である場合、ＰＴＲＳ送信通知はＰＴＲＳを送信しないことを示す。第１値は第２値と等しくない。例えば、第１値が０である場合、第２値は１であり、第２値が０である場合、第１値は１である。
【００６２】
この実施形態では、ＰＴＲＳ送信は、発振器のローカル発振器を推定するために使用されてもよい。
【００６３】
ＴＲＳパラメータは、ＴＲＳの送信に関連する情報を示すために使用されてもよく、例えば、ＴＲＳ送信によって使用されるリソース位置および／または送信密度、ならびに他の関連するパラメータを含んでもよい。
【００６４】
いくつかの実施形態では、送信パラメータは、再送信パラメータ、リソース割り当てパラメータ、帯域幅部分（ＢＷＰ）パラメータ、ならびに変調および符号化方式パラメータのうちの１つまたは複数のタイプをさらに含む。
【００６５】
再送信パラメータは、データ再送に関連する情報を示すために使用することができ、例えば、ハイブリッド自動再送要求（ＨＡＲＱ）パラメータ、自動再送要求（ＡＲＱ）パラメータ、または再送に関連する他のパラメータを含むことができる。
【００６６】
リソース割り当てパラメータは、リソース割り当て状態情報を示すために使用される。たとえば、リソース割り当てパラメータは、アップリンクリソース割り当てパラメータとダウンリンクリソース割り当てパラメータを含む。第２通信装置は、リソース割り当てパラメータにしたがって、データが送受信されるリソース位置、または、他の通信装置と競合するリソース位置を学習することができる。
【００６７】
変調および符号化方式（ＭＳＣ）パラメータは、ビームスイッチング後にＭＳＣを使用するビームに適した１つ以上のＭＳＣテーブルを含むことができる。
【００６８】
いくつかの例示的な実施形態では、ステップＳ１００は可を含む：第２通信デバイスによって報告されたパイロットリソースロケーションに対応するＸセットのパラメータ値を決定するステップ。
【００６９】
例示的な実施形態では、この方法はさらに以下を含む：
【００７０】
ステップＳ１２１において、選択通知に基づいて、第２通信装置によって送信された肯定応答メッセージを受信する；
【００７１】
ステップＳ１２０は以下を含むこともできる：肯定応答メッセージを受信した後に、Ｙセットのパラメータ値にしたがって第２通信装置とデータ送信するステップ。データ送信は、Ｙ個のパラメータ値に対応するビームを用いて実施される。異なるビームのビームＩＤとビームパラメータは、異なるものである。ビームＩＤは、ビームのシーケンスコードまたは名前とすることができる。ビームパラメータは、ビーム帯域幅、ビーム方向およびビーム送信ノードを含んでもよい。
【００７２】
一部の実施形態では、第２通信装置が送信した肯定応答メッセージを受信した後にのみ、第１通信装置はＹセットのパラメータ値を用いて第２通信装置と通信する。これにより、第２通信装置が選択通知を受信できず、かつ第１通信装置がＹセットのパラメータ値を用いて通信する場合において、第２通信装置が第１通信装置の情報を受信できないという問題と、第１通信装置がデータを送信するために古い送信パラメータを用いてすでにビーム切り替えを実施している場合において、第２通信装置が送信したデータを第１通信装置が受信できないという問題を回避する。
【００７３】
他の実施形態では、確認応答メッセージが受信されないことの前において、第１通信装置は第２通信装置とデータを送信するために現在使用されている送信パラメータを使用する。
【００７４】
図６に示すように、本開示の１実施形態は、第２通信装置に適用される情報処理方法を提供する。この方法は以下を含む：
【００７５】
ステップＳ２１０において、第１通信デバイスによって送信されたＭタイプの送信パラメータを一緒に符号化するＸセットのパラメータ値が受信され、Ｍタイプの送信パラメータはビーム通知および／またはＱＣＬ通知パラメータを含み、ビーム通知はビームを通知するために使用され、ＱＣＬ通知パラメータはビームのパラメータを通知するために使用され、Ｍ＞１である。
【００７６】
ステップＳ２２０において、第２通信デバイスによって送信された選択通知が受信される。
【００７７】
ステップＳ２３０において、選択表示にしたがって、データ送信のためのＸセットのパラメータ値からＹセットのパラメータ値が選択され、X＞＝Ｙ＞＝１である。
【００７８】
例示的な実施形態では、この方法はさらに以下を含む：
【００７９】
第２通信デバイスに対してパイロット信号のリソースロケーションを送信するステップであって、Ｘセットのパラメータ値は、リソースロケーションに対応するパラメータ値セットである、ステップ。
【００８０】
第２通信装置は、自身が検出したパイロット信号のリソース位置を、第１通信装置に対してフィードバックする。パイロット信号のリソース位置にしたがって、第１通信装置は第２通信装置が現在受信しているどのビームが最適な信号品質を有しているかを学習することができ、それにより、パイロット信号の受信リソース位置にしたがってパラメータ値を決定することができる。
【００８１】
例示的な実施形態では、この方法はさらに以下を含む：
【００８２】
選択通知を受信した後、第１通信装置に対して肯定応答メッセージを送信する。
【００８３】
第２通信装置が選択通知を受信したことを第１通信装置に対して通知するために、第２通信装置は選択通知を受信した後、肯定応答メッセージを第１通信装置に対して送信し、第２通信装置が正常に応答メッセージを受信したことを第１通信装置に対して通知する。
【００８４】
例示的な実施形態では、Ｍタイプの送信パラメータはビーム通知および／または準同位置（ＱＣＬ）通知パラメータを含み、ＱＣＬパラメータはビーム情報を通知ために使用される。Ｍタイプの伝送パラメータはさらに、次の伝送パラメータの１つ以上のタイプを含む：多入力多出力（ＭＩＭＯ）伝送パラメータおよび基準信号（ＲＳ）パラメータ。
【００８５】
図７に示すように、本開示の実施形態は、第１通信デバイスである通信デバイスを提供する。通信装置は以下を含む：
【００８６】
第１送信ユニット１１０は、Ｍタイプの送信パラメータを一緒に符号化するＸセットのパラメータ値を第２通信デバイスに対して送信するように構成され、ビーム通知はビームを通知するために使用され、ＱＣＬ通知パラメータはビームのパラメータを通知するために使用され、Ｍ＞１である；
【００８７】
第１選択ユニット１２０は、Ｘセットのパラメータ値からＹセットのパラメータ値を選択するように構成され、X＞＝Ｙ＞＝１である。
【００８８】
第１送信ユニット１１０はさらに、Ｙセットのパラメータ値に基づいて第２通信デバイスに対して選択通知を送信するように構成され、選択通知は、データ送信において、第２通信デバイスによって、Ｘセットのパラメータ値からＹセットのパラメータ値を選択するために使用される。
【００８９】
本実施形態における第１送信ユニット１１０は、基地局または他の通信装置のアンテナまたはアンテナアレイに対応していてもよい。
【００９０】
第１選択ユニット１２０は、プロセッサに相当する。プロセッサは、中央処理装置、マイクロプロセッサ、デジタル信号プロセッサ、アプリケーションプロセッサ、プログラマブルゲートアレイ、または特定用途向け集積回路を含むことができる。
【００９１】
第１送信ユニット１１０と第１選択ユニット１２０との間に接続が確立される。Ｙセットのパラメータ値は、コンピュータプログラムのような実行可能命令の実行を介して、Ｘセットのパラメータ値から選択される。
【００９２】
いくつかの実施形態では、通信デバイスがさらに以下を含む：
【００９３】
決定ユニットは、Ｍタイプの送信パラメータに対応するＸセットのパラメータ値を決定するように構成される。
【００９４】
決定ユニットはプロセッサまたは処理回路に対応し、生成ポリシーに基づいてＭ組のパラメータ値セットを生成または決定することができる。本明細書におけるＸセットのパラメータ値の詳細な説明は、前述の実施形態を参照することができる。
【００９５】
いくつかの実施形態では、Ｍタイプの伝送パラメータはさらに、次の伝送パラメータの１つ以上のタイプを含む：多入力多出力（ＭＩＭＯ）伝送パラメータおよび基準信号（ＲＳ）パラメータ。
【００９６】
例示的な実施形態では、ＭＩＭＯ送信パラメータは以下の送信パラメータの１つ以上のタイプを含む：
【００９７】
ＭＩＭＯ送信データストリームの最大数を示すために使用される最大レイヤ番号；
【００９８】
コードブックの設定に使用されるコードブック（ＣＢ）パラメータ；
【００９９】
コードブックから選択されたコードワードを定義するために使用されるコードブックサブセット（ＣＳＲ）；
【０１００】
アップリンク送信のリソースブロックのサイズを定義するために使用されるアップリンクリソースブロックサイズ；
【０１０１】
同じプリコーディングを使用してリソース粒度を定義するために使用されるプリコーディングリソースバンドル粒度。
【０１０２】
例示的な実施形態では、ＲＳパラメータは以下の送信パラメータのうちの１つまたは複数のタイプを含む：
【０１０３】
ＤＭＲＳ送信に関連する情報を通知するすために使用されるＤＭＲＳ設定パラメータ；
【０１０４】
ＰＴＲＳを送信するかどうかを少なくとも示すために使用されるＰＴＲＳ送信通知；
【０１０５】
ＴＲＳ送信に関連する情報を示すために使用されるＴＲＳ構成パラメータ。
【０１０６】
別の実施形態では、送信パラメータは以下のパラメータのうちの１つまたは複数のタイプをさらに含む：
【０１０７】
データ再送に関係する情報を通知するために使用される再送パラメータ；
【０１０８】
リソース割り当て状態情報を示すために使用されるリソース割り当てパラメータ；
【０１０９】
帯域幅部分に関する情報を示すために使用される帯域幅部分（ＢＷＰ）パラメータ；
【０１１０】
変調および符号化方式を示すために使用される変調および符号化方式（ＭＳＣ）パラメータ。
【０１１１】
例示的な実施形態では、決定ユニットは、第２通信デバイスによって報告されたパイロットリソースロケーションに対応するＸセットのパラメータ値を決定するように構成される。
【０１１２】
さらに他の実施形態では、通信デバイスはさらに以下を含む：
【０１１３】
選択通知に基づいて、第２通信デバイスによって送信された肯定応答メッセージを受信するように構成された第１受信ユニット；
【０１１４】
第１送信ユニットは、肯定応答メッセージを受信した後、Ｙセットのパラメータ値にしたがってデータを第２通信装置に対して送信するように構成されている。
【０１１５】
第１受信ユニットはさらに、第２通信装置に対して情報を送信するように構成され、例えば、選択通知に基づいて、返送された肯定応答メッセージを送信する。
【０１１６】
第１送信ユニットはさらに、第１受信ユニットが肯定応答メッセージを受信した後に、第２通信デバイスのビームに対応するビームを使用することによって、Ｙセットのパラメータ値にしたがってデータを送受信するように構成される。
【０１１７】
図８に示すように、本開示の実施形態は、第２通信デバイスである通信デバイスを提供する。通信装置は以下を含む：
【０１１８】
第２受信ユニット２１０は、Ｍタイプの送信パラメータを一緒に符号化するＸセットのパラメータ値を受信し、第１通信デバイスによって送信された選択通知を受信するように構成され、Ｍタイプの送信パラメータはビーム通知および／または準同位置（ＱＣＬ）通知パラメータを含み、ビーム通知はビームを通知するために使用され、ＱＣＬ通知パラメータはビームのパラメータを通知するために使用され、Ｍ＞１である；
【０１１９】
第２選択ユニット２２０は、選択通知にしたがって、データ送信のためのＸセットのパラメータ値からＹセットのパラメータ値を選択するように構成され、X＞＝Ｙ＞＝１である。
【０１２０】
第２受信ユニット２１０は、受信アンテナを含んでもよく、Ｘセットのパラメータ値を受信するように構成されてもよい。
【０１２１】
第２選択ユニット２２０は、選択通知にしたがって、切り替えられるべきビームのデータ送信のためのＸセットのパラメータ値からＹセットのパラメータ値を選択するように構成される。
【０１２２】
いくつかの実施形態では、通信デバイスはさらに以下を含む：
【０１２３】
第２送信ユニットは、パイロット信号のリソースロケーションを第２通信デバイスに足して送信するように構成され、Ｘセットのパラメータ値はリソースロケーションに対応するパラメータ値セットである。
【０１２４】
この実施形態では、第２送信ユニットは、選択されたＹセットのパラメータ値を使用することによってデータを送信する。
【０１２５】
例示的な実施形態では、通信デバイスは、選択通知を受信した後に第１通信デバイスに対して肯定応答メッセージを送信するように構成された第２送信ユニットをさらに含む。
【０１２６】
さらに他の実施形態では、Ｍタイプの伝送パラメータはさらに、次の伝送パラメータの１つ以上のタイプを含む：多入力多出力（ＭＩＭＯ）伝送パラメータおよび基準信号（ＲＳ）パラメータ。
【０１２７】
図９に示すように、本開示の実施形態は、通信デバイスを提供する。通信装置は以下を有する：電波信号を送受信するように設定されたアンテナ３１０；情報を記憶するように設定されたメモリ３２０；アンテナ３１０およびメモリ３２０とそれぞれ接続され、メモリに記憶されるコンピュータプログラムを実行することにより上記の１つ以上の技術的解決策によって提供される情報処理方法を実施するように設定されたプロセッサ３３０。
【０１２８】
本実施形態で提供される通信装置は上述した第１通信装置であってもよいし、第２通信装置であってもよい。
【０１２９】
アンテナは送信アンテナおよび受信アンテナを含んでもよく、送信アンテナおよび受信アンテナの数は１つ以上であってもよい。
【０１３０】
プロセッサ３３０は、それぞれアンテナ３１０およびメモリ３２０に接続され、コンピュータプログラム３４０を実行することによって、第１通信デバイスにおいて１つまたは複数のビーム電力制御方法を実施するように構成されるか、または第２通信デバイスにおいて１つまたは複数のビーム電力制御方法を実施するように構成される。
【０１３１】
この実施形態におけるアンテナは、１つ以上であってもよく、無線信号を送受信するように構成されてもよく、それによって、異なる通信デバイス間の情報対話を実施する。
【０１３２】
メモリ３２０は、様々な種類の情報を記憶する装置を含んでもよい。
【０１３３】
プロセッサ３３０は、中央処理装置、マイクロプロセッサ、デジタル信号プロセッサ、アプリケーションプロセッサ、プログラマブルゲートアレイ、または特定用途向け集積回路を含むことができる。プロセッサ３３０は、コンピュータプログラムなどのコンピュータ実行可能命令の実行を介して、第１通信デバイスにおいてビーム電力制御方法を実施する。
【０１３４】
プロセッサ３３０は通信バス（例えば、集積回路バス）を介してトランシーバ３１０およびメモリ３２０に接続されてもよい。
【０１３５】
本開示の１実施形態はコンピュータ記憶媒体を提供し、コンピュータ記憶媒体は、コンピュータプログラムが実行された後に、上記技術的解決策のうちの１つまたは複数によって提供される前述の第１通信デバイスまたは第２通信デバイスに適用される情報処理方法を実施するためのコンピュータプログラムを記憶するように構成される。
【０１３６】
コンピュータ記憶媒体は、可搬記憶装置、読出し専用メモリ、ランダム・アクセス・メモリ、磁気ディスク、光ディスクまたはプログラムコードを記憶可能な他の媒体であってもよく、コンピュータ記憶媒体は非一時的記憶媒体または不揮発性記憶媒体であってもよい。
【０１３７】
いくつかの特定の例を、上記の実施形態のいずれかと併せて以下に提供する：
【０１３８】
上述の分析に基づいて、ビームスイッチングが発生するときに送信パラメータを変更する必要があり、より高次のシグナリング再構成機構を使用することによって、送信パラメータはビームスイッチングとより良好に協調することができない。本開示の実施形態は柔軟性を高める観点から、ビームに基づいて送信パラメータセットを動的に決定する方法を提供する。この方法は以下を含む：
【０１３９】
送信終了のステップ１：Ｍタイプの送信パラメータが決定される。Ｍは１より大きい整数である。
【０１４０】
Ｍタイプの送信パラメータは、少なくとも、ビーム通知および／またはＱＣＬ通知パラメータを含む。
【０１４１】
Ｍタイプの送信パラメータはさらに、以下のパラメータのうちの１つ以上の種類を含む：
【０１４２】
（ａ）ＭＩＭＯ送信関連パラメータ：最大レイヤ番号、ＣＳＲ、ＣＢパラメータ、アップリンクリソースブロックサイズ（ＵＬ  ＳＢサイズ）、およびプリコーディングリソースバンドリング粒度（バンドリングサイズ）；
【０１４３】
（ｂ）ＲＳ関連パラメータ：ＤＭＲＳ構成パラメータ、ＰＴＲＳ送信通知（例えば、ＰＴＲＳを送信することを示すパラメータ（ＰＴＲＳ  ＯＮ）、またはＰＴＲＳを送信しないことを示すパラメータ（ＰＴＲＳ  ＯＦＦ））、およびＴＲＳ構成パラメータ；
【０１４４】
（ｃ）他のパラメータ：ＨＡＲＱパラメータ（ＣＢＧ）、ＲＡパラメータ（リソースタイプ）、ＢＷＰパラメータ、およびＭＣＳテーブル。
【０１４５】
送信終了のステップ２：Ｍタイプの送信パラメータに対応するＸセットのパラメータ値が決定される（X＞＝１）。
【０１４６】
送信側のステップ３：Ｍタイプの送信パラメータを結合してエンコードするパラメータ値セットは、受信側に構成されている。
【０１４７】
送信終了のステップ４： Ｙセットのパラメータ値がＸセットのパラメータ値から選択され（X＞＝Ｙ＞＝１）、受信側に通知シグナリングが送信される。
【０１４８】
送信終了のステップ５：送信パラメータのＹセットのパラメータ値にしたがってデータを送信する。
【０１４９】
これに対応して、受信側の方法は、以下に説明するステップを含む：
【０１５０】
受信側のステップ１：送信パラメータ構成シグナリングが受信され、Ｍタイプの送信パラメータに対応するＸセットのパラメータ値が送信パラメータ構成シグナリングに基づいて決定され、ＭおよびXは整数であり、Ｍ＞１およびX＞＝１である。
【０１５１】
Ｍタイプの送信パラメータは少なくとも、ビーム通知および／またはＱＣＬ通知パラメータを含み、さらに、ＭＩＭＯパラメータまたはＲＳパラメータを含む。
【０１５２】
受信側のステップ２：送信パラメータ構成セット選択シグナリングが受信され、Ｙセットのパラメータ値が、選択シグナリングに基づいて送信パラメータのＸセットのパラメータ値から選択され、X＞＝Ｙ＞＝１である；
【０１５３】
受信側のステップ３： 送信パラメータのＹセットのパラメータ値にしたがってデータが送信される。データ送信にはデータの送受信が含まれる。
【０１５４】
図１０に示すように、この実施形態ではＸセットのパラメータ値が結合構成シグナリングを介して送信されてもよく、結合構成シグナリングは１つまたは複数のシグナリング、または１つまたは複数の結合構成シグナリングであってもよい。例えば、結合構成シグナリングは、ＲＲＣシグナリング、ＭＡＣシグナリング、および／またはＤＣＩシグナリングであってもよい。図１０において、送信パラメータはビーム通知／ＱＣＬパラメータとは別に、送信パラメータ１、送信パラメータ２．．．、送信パラメータＮなどの他のパラメータをさらに含む。
【０１５５】
送信パラメータは、ビーム専用の、またはビームに関連する送信パラメータの動的スイッチングを実施する上記の方法を介して拡張される。実装方法は表１に示すように、ＱＣＬパラメータと上記の他のパラメータを結合して、複数の伝送パラメータのパラメータ値状態を形成するように構成することである。
【表１】
2021503832.tif 000003
【０１５６】
ＤＭＲＳ設定パラメータは以下を含む：ＤＭＲＳのタイプ、ＤＭＲＳ送信で使用される送信シンボルのシンボル数、ＤＭＲＳを送信するためのポートサブセット、ＤＭＲＳ送信をスクランブルするためのスクランブル。送信シンボルは、１つまたは複数の直交周波数分割多重（ＯＦＤＭ）技術であってもよい。ＤＭＲＳとの組み合わせに加えて、ＱＣＬは表２に示すように、ＰＴＲＳおよびＴＲＳと一緒に構成されてもよい。
【表２】
2021503832.tif 000004
【０１５７】
送信パラメータのパラメータ値のインデックスは動的に選択され、複数の送信パラメータは物理層シグナリングを介して切り替えられる。
【０１５８】
上記の用途とは別に、表３〜６に示すように、ビーム／ＱＣＬ表示および送信に関連する他のパラメータを一緒に示すこともできる。
【表３】
2021503832.tif 000005
【表４】
2021503832.tif 000006
【表５】
2021503832.tif 000007
【表６】
2021503832.tif 000008
【０１５９】
結合構成を表７に示す。
【表７】
2021503832.tif 000009
【０１６０】
ビームが回復されると、送信パラメータのパラメータ値（ＴＣ）セットが、対応する選択可能ビームのために構成される。端末によって報告されたリソース位置と送信パラメータのパラメータ値との間に対応関係が存在するので、選択可能ビームは、送信パラメータの対応するパラメータ値セットを有する基地局によって構成される必要がある。例えば、切断された端末と基地局とが再接続すると、両者のビーム回復が生じる。
【０１６１】
本開示の実施形態において開示されるデバイスおよび方法は、他の方法で実施されてもよいことを理解されたい。上述した装置の実施形態は、単に例示的なものである。例えば、ユニット分割は単なる論理的な機能分割であり、実際には、ユニット分割は他の方法で実現されてもよい。例えば、複数のユニットまたは構成要素が組み合わされてもよく、または別のシステムに統合されてもよく、またはいくつかの特徴が省略されてもよく、または実行されなくてもよい。さらに、提示された、または論じられた構成要素間の結合、直接結合、または通信接続は、インターフェースを介した、デバイスまたはユニット間の間接結合または通信接続であってもよく、電気的、機械的、または他の形態であってもよい。
【０１６２】
別個の構成要素として上述したユニットは物理的に分離されていてもよいし、分離されていなくてもよい。ユニットとして提示されるコンポーネントは物理的ユニットであってもなくてもよく、すなわち、１つの場所に配置されてもよく、または複数のネットワークユニットにわたって分散されてもよい。これらのユニットの一部または全部は本開示の実施形態の解決策の目的を達成するために、実際の要件にしたがって選択されてもよい。
【０１６３】
さらに、本開示の実施形態における様々な機能ユニットはすべて、１つの処理モジュールに統合されてもよく、または各ユニットが別個のユニットとして使用されてもよく、または２つ以上のユニットが１つのユニットに統合されてもよい。統合機能ユニットはハードウェアによって実現されてもよいし、ハードウェアとソフトウェア機能ユニットとによって実現されてもよい。
【０１６４】
当業者であれば、上述の方法の実施形態におけるステップの全部または一部はプログラム命令に関連するハードウェアによって実施されてもよく、これらのプログラムはコンピュータ可読記憶媒体に記憶されてもよく、実行されると、これらのプログラムは上述の方法の実施形態に含まれるステップを実行し、前述の記憶媒体はリムーバブル記憶デバイス、リードオンリメモリ（ＲＯＭ）、ランダムアクセスメモリ（ＲＡＭ）、磁気ディスク、または光ディスクなど、プログラムコードを記憶することができる様々な媒体を含むことを理解するのであろう。
【０１６５】
上記は、本開示の特定の実施形態に過ぎず、本開示を限定することを意図するものではない。なお、当業者であれば、本開示の技術的範囲内において、種々の変更または代替を考えることが容易である。これらの改変または置換は、本開示の範囲内である。したがって、本開示の保護範囲は、特許請求の範囲の保護範囲に従う。
【産業上の利用可能性】
【０１６６】
以上説明したように、本発明に係る情報処理方法、通信装置および記憶媒体によれば、ビーム切替に基づく送信パラメータの切り替えを行うことにより、両者間のデータ伝送を確実に行うことができるという効果を奏する。
【図１】
2021503832.tif 000010
【図２】
2021503832.tif 000011
【図３】
2021503832.tif 000012
【図４】
2021503832.tif 000013
【図５】
2021503832.tif 000014
【図６】
2021503832.tif 000015
【図７】
2021503832.tif 000016
【図８】
2021503832.tif 000017
【図９】
2021503832.tif 000018
【図１０】
2021503832.tif 000019
【手続補正書】
【提出日】令和2年6月1日(2020.6.1)
【手続補正１】
【補正対象書類名】特許請求の範囲
【補正対象項目名】全文
【補正方法】変更
【補正の内容】
【特許請求の範囲】
【請求項１】
無線通信方法であって、
ベースステーションから端末に対して、少なくとも２タイプの送信パラメータを一緒に符号化するＸセットのパラメータ値を含む無線リソース制御（ＲＲＣ）メッセージを送信するステップであって、前記少なくとも２タイプの送信パラメータは準同位置（ＱＣＬ）パラメータと基準信号パラメータを含む、ステップ；
前記ベースステーションによって、前記Ｘセットのパラメータ値からＹセットのパラメータ値を選択するステップであって、Ｘ＞＝Ｙ＞＝１である、ステップ；
前記ベースステーションから前記端末に対して、データ送信における前記Ｙセットのパラメータ値のパラメータ値セットを通知する選択通知を含むダウンリンク制御情報メッセージを送信するステップ；
を有する方法。
【請求項２】
前記少なくとも２タイプの送信パラメータは、帯域幅部分（ＢＷＰ）パラメータをさらに含む、
請求項１記載の方法。
【請求項３】
無線通信方法であって、
端末がベースステーションから、少なくとも２タイプの送信パラメータを一緒に符号化するＸセットのパラメータ値を含む無線リソース制御（ＲＲＣ）メッセージを受信するステップであって、前記少なくとも２タイプの送信パラメータは準同位置（ＱＣＬ）パラメータと基準信号パラメータを含む、ステップ；
前記端末が前記ベースステーションから、データ送信におけるＹセットのパラメータ値のパラメータ値セットを通知する選択通知を含むダウンリンク制御情報（ＤＣＩ）メッセージを受信するステップであって、前記Ｙセットのパラメータ値は前記Ｘセットのパラメータ値から選択されており、Ｘ＞＝Ｙ＞＝１である、ステップ；
前記端末が、前記選択通知にしたがって、前記データ送信を実施するステップ；
を有する方法。
【請求項４】
通信装置であって、
プロセッサ、
前記プロセッサが実行するプロセッサ実行可能コードを格納したメモリ、
を備え、
前記プロセッサ実行可能コードは、前記プロセッサに、
端末に対して、少なくとも２タイプの送信パラメータを一緒に符号化するＸセットのパラメータ値を含む無線リソース制御（ＲＲＣ）メッセージを送信するステップであって、前記少なくとも２タイプの送信パラメータは準同位置（ＱＣＬ）パラメータと基準信号パラメータを含む、ステップ；
前記Ｘセットのパラメータ値からＹセットのパラメータ値を選択するステップであって、Ｘ＞＝Ｙ＞＝１である、ステップ；
前記端末に対して、データ送信における前記Ｙセットのパラメータ値のパラメータ値セットを通知する選択通知を含むダウンリンク制御情報メッセージを送信するステップ；
を実行させる、
通信装置。
【請求項５】
前記少なくとも２タイプの送信パラメータは、帯域幅部分（ＢＷＰ）パラメータをさらに含む、
請求項４記載の通信装置。
【請求項６】
通信装置であって、
プロセッサ、
前記プロセッサが実行するプロセッサ実行可能コードを格納したメモリ、
を備え、
前記プロセッサ実行可能コードは、前記プロセッサに、
ベースステーションから、少なくとも２タイプの送信パラメータを一緒に符号化するＸセットのパラメータ値を含む無線リソース制御（ＲＲＣ）メッセージを受信するステップであって、前記少なくとも２タイプの送信パラメータは準同位置（ＱＣＬ）パラメータと基準信号パラメータを含む、ステップ；
前記ベースステーションから、データ送信におけるＹセットのパラメータ値のパラメータ値セットを通知する選択通知を含むダウンリンク制御情報（ＤＣＩ）メッセージを受信するステップであって、前記Ｙセットのパラメータ値は前記Ｘセットのパラメータ値から選択されており、Ｘ＞＝Ｙ＞＝１である、ステップ；
前記選択通知にしたがって、前記データ送信を実施するステップ；
を実行させる、
通信装置。
【請求項７】
前記少なくとも２タイプの送信パラメータは、帯域幅部分（ＢＷＰ）パラメータをさらに含む、
請求項３記載の方法。
【請求項８】
前記少なくとも２タイプの送信パラメータは、帯域幅部分（ＢＷＰ）パラメータをさらに含む、
請求項６記載の通信装置。
【請求項９】
プロセッサが実行することにより、前記プロセッサに、請求項１、２、３、または７記載の方法を実行させるコードを格納した、記憶媒体。
【国際調査報告】
2021503832.tif 000020
2021503832.tif 000021
2021503832.tif 000022
2021503832.tif 000023